(57)【要約】【課題】  本発明は主として中空状のキャビテイ、と複数の蓋体からなる熱伝導シートに関するものである。【解決手段】  前記中空状のキャビテイは一体成型したアルミニウムインパクト押し出しにより作成し、その内部に中空状の収納部を設置すると共に、中空状の収納部内の側面に放熱効果を高めるための角バーを複数設置し、且つ中空状の収納部を複数の貫通した収納スペースに分けるようにスペーサリブを複数設置し、放熱効果向上に寄与する液体を収納するのに用い、また、中空状のキャビテイの片面にレールを複数設置し、左右両側に係止溝を設置し、左右両側の係止溝を利用して複数の熱伝導シートを熱伝導シートの片面に設置したレールに嵌め込み放熱効果を高め、他面に印刷回路基板の回路を印刷し、電子部品が熱伝導シートの片面の印刷回路基板に半田付けすると、直接最適な放熱効果を上げることができるようになる。【選択図】  図２Ｂ
2008294177.tif 000002
【特許請求の範囲】
【請求項１】
中空状のキャビテイ、複数の放熱シートと複数の蓋体からなる熱伝導シートであって、
前記中空状のキャビテイは一体成型したアルミニウムインパクト押し出しにより作成し、その内部に中空状の収納部を設置すると共に、中空状の収納部内の側面に放熱効果を向上させるための角バーを複数設置し、且つ中空状の収納部を複数の連続した収納スペースに分けるようにスペーサリブを複数設置し、放熱効果向上に寄与する液体を収納するのに用い、また、中空状のキャビテイの片面にレールを複数設置し、他面に印刷回路基板の回路を印刷し、左右両側に係止溝を設置することと、
放熱シートに放熱部を設置すると共に、放熱シートの一端に中空状のキャビテイの左右両側の係止溝と同じの係止台座を設置し、放熱シートを中空状のキャビテイ片面に設置されたレールに嵌め込むことと、
前記蓋体の片側に溝を設置することを含むことを特徴とする熱伝導シート。
【請求項２】
前記中空状のキャビテイの左右両側にそれぞれ平面部を設置すると共に、平面部では前記中空状のキャビテイでのレールと同じレールを設置し、左右両側に設置される係止溝に熱伝導シートをはめ込ませ、エアーと接触する面積を増やして放熱を強化することを特徴とする請求項1に記載する熱伝導シート。
【請求項３】
前記中空状のキャビテイは片面に印刷回路基板の回路が印刷可能であることを特徴とする請求項1に記載する熱伝導シート。
【請求項４】
前記熱伝導シートは最適な放熱効果を上げるように互いに配列して嵌め込んで組合せることができ、または複数の熱伝導シートを熱伝導シートに半田付けして、各中空状のキャビテイの中空収納部が貫通した状況を形成することを特徴とする請求項1に記載する熱伝導シート。
【請求項５】
前記蓋体の溝に、中空収納部内のエアーを抜き取り、アルミニウムパイプを折り曲げ蓋体の溝に押し込むためのアルミニウムパイプを設置することを特徴とする請求項1に記載する熱伝導シート。
【発明の詳細な説明】
【技術分野】
【０００１】
本発明は熱伝導シートに関し、特に一体成型となったアルミニウムインパクト押出しにより作成した放熱装置に関する。
【背景技術】
【０００２】
従来の放熱装置は放熱ヒレ板、熱伝導パイプ及び台座本体から構成されており、この種の方法は実施すると下記の弊害がある。
【０００３】
１．従来の放熱装置の大半が放熱用に扇風機を配置しているが、放熱ヒレ板の効率に限ると満足のいくものではない。
【０００４】
２．従来の放熱装置は幾つかの部品と吸熱板及び熱伝導パイプを組立て台座本体として吸熱を行い、部品の材質も大半がプラスチックで、互いに熱量を伝導することができず、台座本体内の吸熱板及び熱伝導パイプだけで伝熱しようとすれば、伝熱速度は制限される。
【０００５】
３．従来の放熱装置の吸熱板の大半が中の詰まった板材を取り付け、また材質の大半が銅であるものの、吸熱板本体が熱エネルギー循環を行なって絶え間なく放熱する熱量を発散させなければ、放熱速度が限られてしまう。
【発明の開示】
【発明が解決しようとする課題】
【０００６】
本発明では「熱伝導シート」を提供し、当該設計によって高効率の放熱効果を達成し、また個人的ニーズに応じて、理想的な熱伝導シートを増やしたり組合せたりすることで、必要とされる放熱効果に適合させるようにすることが主な発明目的である。
【課題を解決するための手段】
【０００７】
本発明で運用する技術方法は熱伝導シートを提供することであり、それは主に中空状のキャビティと数個の蓋体を含み、そのうち前記中空状のキャビティは一体成型となったアルミニウムインパクト押出しにより作成し、内部に中空状の収納部を有し、中空状の収納部内の側面には数個の放熱効果を高めるのに用いる角バーを設置し、また複数のスペーサリブを設けて中空状の収納部を複数の貫通した収納スペースに区分し、放熱効果向上に寄与することができる液体を収納するのに用いる。さらに中空状のキャビティの片面にレールを複数設置し、また左右両側に係止溝を設置し、数枚の熱伝導シートを左右両側の係止溝でもって熱伝導シート片面に設置したレールに嵌め込んで、熱伝導シートの接続を増やして放熱効率を高めることができると共に、他面に印刷回路基板の回路を印刷して、電子部品が熱伝導シート片面の印刷回路基板の回路に半田付けされると、最適な放熱効果を上げることができる。
【発明の効果】
【０００８】
前記本発明の熱伝導シートは主に下記の効果を達成することができる。
【０００９】
１．放熱効率を高める。本発明の熱伝導シートの中空状のキャビティは一体成型となったアルミニウムインパクト押出しにより作成し、内部には中空状の収納部を設け、また内部に中空状の収納部を有し、中空状の収納部内の側面には数個の放熱効果を高めるのに用いる角バーを設置し、また複数のスペーサリブを設けて中空状の収納部を複数の貫通した収納スペースに区分し、放熱効果向上に寄与することができる液体を収納するのに用いることにより、接触面積を増やして大幅に放熱速度を速め且つ効率を高めることができる。
【００１０】
２．使用コストを低減する。本発明の熱伝導シートの中空状のキャビティの片面にレールを複数設置して左右両側には係止溝を設置し、また放熱シートには放熱部を設けて、放熱シートの一端には中空状のキャビティの左右両側の係止溝と同じ係止台座を設置し、放熱シートを中空状のキャビティ片面に設置したレール内に嵌め込んで、同一の熱伝導シート上に数枚の放熱シートを嵌め込むと熱伝導シート本体に比べて数倍高い放熱効率を速やかに向上させることができる。
【発明を実施するための最良の形態】
【００１１】
図１、２Ａ、２Ｂで示すように、本発明の熱伝導シート１０は主に中空状のキャビティ１１、数個の発熱シート１３及び数個の蓋体１２からなり、そのうち、前記中空状のキャビティ１１は一体成型となったアルミニウムインパクト押出しにより作成し、内部には中空状の収納部１１１を設け、また中空状の収納部１１１内の側面には数個の放熱効果を高めるのに用いる角バー１１６を設置し、さらに複数のスペーサリブ１１４を設けて中空状の収納部１１１を複数の貫通した収納スペース１１５に区分し、放熱効果向上に寄与することができる液体を収納するのに用いる。そして中空状のキャビティ１１の片面にレール１１２を複数設置し、また左右両側に係止溝１１３を設置する。図３、４、５で示すように、放熱シート１３には放熱部１３１を設けて、放熱シート１３の一端には中空状のキャビティ１１の左右両側の係止溝１１３と同じ係止台座１３２を設置し、放熱シート１３を中空状のキャビティ１１の片面に設置したレール１１２内に嵌め込んで、熱伝導シート１０の放熱効率を高め、蓋体１２には溝１２１を設置する。図６、７、８で示すように、数枚の熱伝導シート１０を左右両側の係止溝１１３でもって熱伝導シー１０の片面に設置したレール１１２に嵌め込んで、熱伝導シート１０の接続を増やすことで放熱効率を高め、また図９、１０で示すように、他面１１７に印刷回路基板の回路１１７１を印刷して、電子部品１１７２が熱伝導シート１０片面１１７の印刷回路基板の回路１１７１に半田付けされると、最適な放熱効果を上げることができる。
【００１２】
図１１、１２Ａ、１２Ｂで示すように、本発明の熱伝導シート１０aの別の実施例は、中空状のキャビティ１１aの左右両側に平面部１１３aを設け、平面部１１３aに中空状のキャビティ１１aのレール１１２aと同様のレール１１３１aを設け、図１６で示すように、本発明の熱伝導シート１０を嵌め込んで空気との接触面積を増やすことで放熱効率を高める。また本発明の熱伝導シート１０aの別の実施例は中空状のキャビティ１１a、数個の発熱シート１３a及び数個の蓋体１２aを含み、そのうち、中空状のキャビティ１１aも一体成型となったアルミニウムインパクト押出しにより作成し、内部には中空状の収納部１１１aを設け、また中空状の収納部１１１a内の側面には数個の放熱効果を高めるのに用いる角バー１１６aを設置し、さらに複数のスペーサリブ１１４aを設けて中空状の収納部を複数の貫通した収納スペース１１５aに区分し、放熱効果向上に寄与することができる液体を収納するのに用いる。そして中空状のキャビティ１１aの片面にレール１１２aを複数設置して、放熱シート１３の係止台座１３２に嵌め込んで本発明の熱伝導シート１０aの別の実施例の放熱効果を高めることができ、また蓋体１２aにも溝１２１aを設置する。図１３、１４Ａ、１４Ｂ参照。また、図１５で示すように、他面１１７aに印刷回路基板の回路１１７１aを設ける。
【００１３】
図１７、１８で示すように、本発明の熱伝導シート１０aの別の実施例は、放熱効果向上に寄与することができる液体をを注入する前に、まず中空状の収納部１１１a内の空気を抜いて真空状態を維持する必要があるので、蓋体１２aの溝１２１a内にアルミニウムパイプ１４aを設けて中空状の収納部１１１a内の空気を抜くのに用い、空気を全て抜き終わると、まずアルミニウムパイプ１４aの開口部の端を密閉して空気の進入を防ぎ、アルミニウムパイプ１４aを蓋体１２aの溝１２１aの中に折り曲げて押し込むことで中空状の収納部１１１aの真空状態が維持できるだけでなく、外見の全体性も維持できる。この方法は本発明の熱伝導シート１０にも運用でき、図１９、２０で示すように、本発明の熱伝導シート１０の蓋体１２の溝１２１内にも同様に本発明の熱伝導シート１０aの別の実施例のアルミニウムパイプ１４を設置して同等な効果を達成することができる。
【００１４】
本発明の熱伝導シート１０は最適な放熱効果が上がるように互いに配列して組合せるか若しくは嵌め込んで使用することができ、図２１、２２Ａで示すように、まず本発明の熱伝導シート１０の中空状のキャビティ１１に凹溝１１９を設置し、且つ深さは中空状の収納部１１１に切り込む分必要で、複数の本発明の熱伝導シート１０の片側に本発明の熱伝導シート１０に対向して中空状のキャビティ１１の凹溝１１９のカンム１１３１を設け、さらに本発明の熱伝導シート１０の中空状のキャビティ１１の凹溝１１９内に半田付けし、図２２Ｂで示すように、各中空状のキャビティ１１内の中空状の収納部１１１が貫通する状況を形成することにより最適な放熱効果を上げることができる。
【図面の簡単な説明】
【００１５】
【図１】本発明の立体分解図である。
【図２Ａ】本発明の立体構成図である。
【図２Ｂ】図２Ａが２Ｂ―２Ｂ位置に有る断面図である。
【図３】本発明の構成概略図である。
【図４】本発明の立体構成図（二）である。
【図５】本発明の立体側面図である。
【図６】本発明の熱伝導シートが相互に結合した立体概略図である。
【図７】本発明の熱伝導シートが相互に結合した後の立体構成図である。
【図８】本発明の熱伝導シートが相互に結合した後の側面図である。
【図９】本発明の熱伝導シートの他面に印刷回路基板の回路を印刷した立体図である。
【図１０】本発明の熱伝導シートの印刷回路基板の回路に電子部品を取り付けた立体図である。
【図１１】本発明の別途実施した立体分解図である。
【図１２Ａ】本発明の別途実施した立体構成図である。
【図１２Ｂ】図１２Ａの１２Ｂ―１２Ｂ位置に有る断面図である。
【図１３】本発明の別途実施した立体構成図（二）である。
【図１４Ａ】本発明の別途実施した構成側面図である。
【図１４Ｂ】図１４Ａの１４Ｂ―１４Ｂ位置に有る断面図である。
【図１５】本発明の熱伝導シートの別途実施例の他面に印刷回路基板の回路を印刷した立体図である。
【図１６】本発明の別途実施と本発明の熱伝導シートを互いに結合させた立体構成図である。
【図１７】本発明の熱伝導シートの別途実施例で蓋体にアルミニウムパイプを取り付けた立体概略図である。
【図１８】本発明の熱伝導パイプの別途実施例で真空完了後にアルミニウムパイプを折畳んだ動作概略図である。
【図１９】本発明の熱伝導シートで蓋体にアルミニウムパイプを取り付けた立体概略図である。
【図２０】本発明の熱伝導シートで真空完了後にアルミニウムパイプを折畳んだ動作概略図である。
【図２１】本発明の熱伝導シートの別途実施例の別途組合せ方式の立体分解図である。
【図２２Ａ】本発明の熱伝導シートの別途実施例の別途組合せ方式の立体構成図である。
【図２２Ｂ】図２２Ａの２２Ｂ―２２Ｂ位置に有る断面図である。
【符号の説明】
【００１６】
１０  熱伝導シート
１１  中空状のキャビテイ
１１１  中空状の収納部
１１２  レール
１１３  係止溝
１１３１  カンム
１１４  スペーサリブ
１１５  収納スペース
１１６  角バー
１１７  片面
１１７１  印刷回路基板の回路
１１７２  電子部品
１１９  凹溝
１２  蓋体
１２１  溝
１３  放熱シート
１３１  放熱部
１３２  係止台座
１４  アルミニウムパイプ
１０a  熱伝導シート
１１a  中空状のキャビテイ
１１２a  レール
１１３a  平面部
１１３１a  レール
１１４a  スペーサリブ
１１５a  収納スペース
１１６a  角バー
１１７a  片面
１１７１a  印刷回路基板の回路
１２a  蓋体
１２１a  溝
１３a  放熱シート
１４a  アルミニウムパイプ
【図１】
2008294177.tif 000003
【図２Ａ】
2008294177.tif 000004
【図２Ｂ】
2008294177.tif 000005
【図３】
2008294177.tif 000006
【図４】
2008294177.tif 000007
【図５】
2008294177.tif 000008
【図６】
2008294177.tif 000009
【図７】
2008294177.tif 000010
【図８】
2008294177.tif 000011
【図９】
2008294177.tif 000012
【図１０】
2008294177.tif 000013
【図１１】
2008294177.tif 000014
【図１２Ａ】
2008294177.tif 000015
【図１２Ｂ】
2008294177.tif 000016
【図１３】
2008294177.tif 000017
【図１４Ａ】
2008294177.tif 000018
【図１４Ｂ】
2008294177.tif 000019
【図１５】
2008294177.tif 000020
【図１６】
2008294177.tif 000021
【図１７】
2008294177.tif 000022
【図１８】
2008294177.tif 000023
【図１９】
2008294177.tif 000024
【図２０】
2008294177.tif 000025
【図２１】
2008294177.tif 000026
【図２２Ａ】
2008294177.tif 000027
【図２２Ｂ】
2008294177.tif 000028